(57)【要約】【課題】  家具の底部空間の周りに配置されてその底部空間を清潔に保つとともに、その底部空間の通気性を確保し、意匠面においても特徴のある家具底部部材、およびそれを備えた家具を提供する。【解決手段】  家具５００が置かれる床面と、この床面から一定高さ底上げされた家具との間に、底部空間５０２が形成され、この底部空間５０２に臨む正面や背面や側面に配置される家具底部部材１００であって、この家具底部部材１００は、外側から見ることができる前板材２０と、底部空間側を向く後板材３０とが対面する形で、その間に内部空間７を形成して一体に組み付けられ、後板材の底部空間側には家具５００との間の固定部材５が配置されるとともに、前板材２０と後板材３０とには、底部空間５０２との間で空気流通を可能とする通気部２，３がそれぞれ形成されており、前板材２０と後板材３０との間の内部空間７が、通気部２，３を通過する通気通路を形成している。【選択図】  図７
2006280618.tif 000002
【特許請求の範囲】
【請求項１】
家具が置かれる床面と、この床面から一定高さ底上げされた家具との間に、底部空間が形成され、この底部空間に臨む正面や背面や側面に配置される家具底部部材であって、
外側から見ることができる前板材と、前記底部空間側を向く後板材とが対面する形で、その間に内部空間を形成して一体に組み付けられ、前記後板材の前記底部空間側には前記家具との間の固定部材が配置されるとともに、
前記前板材と前記後板材とには、前記底部空間との間で空気流通を可能とする通気部がそれぞれ形成されており、
前記前板材と前記後板材との間の前記内部空間が、前記通気部を通過する通気通路を形成していることを特徴とする家具底部部材。
【請求項２】
前記通気部は、複数の貫通孔からなる貫通孔群からなり、前記前板材の貫通孔よりも前記後板材の貫通孔の方が開口面積が大きい請求項１に記載の家具底部部材。
【請求項３】
前記前板材の前記貫通孔群は、該前板材の上部に形成され、前記後板材の前記貫通孔群は、該後板材の前記上板部と前記下板部とに形成される請求項２に記載の家具底部部材。
【請求項４】
前記後板材は、上板部と下板部とが床面に対して平行な帯状の隙間を挟んで配置され、前記内部空間内にて形成される連結部によって、前記上板部と前記下板部とが一体に組み付けられており、
前記後板材の前記底部空間側に配置した前記固定部材は、前記家具を底上げ支持する支柱に対して係脱可能で、かつ前記隙間をレールとして摺動可能に設けられており、前記支柱の配置位置に移動した固定部材は、前記支柱と係合して前記後板材及び前記前板材を固定することができる請求項１ないし３のいずれか１項に記載の家具底部部材。
【請求項５】
前記後板材では、前記上板部及び前記下板部の互いに近接する側の端部が、前記内部空間側に折り返されている請求項４に記載の家具底部部材。
【請求項６】
前記前板材には、その上端側において前記後板材に向けて折れ曲がって前記内部空間の上側に位置する上端部と、下端側において前記後板材に向けて折れ曲がって前記内部空間の下側に位置する下端部とが形成され、かつその下端部の先端には、上方向に垂直に延びる立上げ部が形成されており、
前記後板材には、上端側において前記前板材に向けて折れ曲がって前記内部空間の上側に位置する上端部が形成され、下端側は、床面に向けて延びてその下端部の先端が床面と接触する脚部をなして形成されており、
前記前板材と前記後板材とは、前記前板材及び前記後板材の双方の前記上端部同士を上下方向に面接触させて固定し、かつ前記前板材の前記立上げ部と前記後板材の下端部とを前後方向に面接触させて固定して組み付けられる請求項１ないし５のいずれか１項に記載の家具底部部材。
【請求項７】
前記後板材の前記脚部は、その脚部の端部を被う保護部材によって被われている請求項６に記載の家具底部部材。
【請求項８】
前記前板材と前記後板材とが組み付けられてなる正面側底部部材は、直線状に形成されるとともに、その正面側底部部材の両端の少なくとも一方から連続するように、その正面側底部部材に対して直角を成して後方に延びる側面側板部材が別途組み付けられており、前記正面側底部部材のその家具の前記底部空間の正面側に、前記側面側板部材が前記底部空間の側面側に配置される請求項１ないし７のいずれか１項に記載の家具底部部材。
【請求項９】
前記正面側底部部材の両端をなす側面部のうち、前記側面側板部材が組み付けられる側の側面部は、前記前板材の両端を後方に折り曲げて形成されるとともに、前記正面側底部部材と前記側面側板部材との接合部を隠すように後方に延びている請求項８に記載の家具底部部材。
【請求項１０】
請求項１ないし９のいずれか１項に記載の家具底部部材を備えることを特徴とする家具。
【発明の詳細な説明】
【技術分野】
【０００１】
本発明は、床面に設置される家具等の底部周縁を構成する家具底部部材、いわゆる蹴込みに関する。
【背景技術】
【０００２】
洗面化粧台やキッチン台等のキッチン家財である家具は床面上に設置され、その底部周縁には、該家具の奥行き方向にへこんだ壁部、いわゆる蹴込みが設けられている。従来、この蹴込みには、その奥行き側に、床面に垂直な板材、いわゆる蹴込み板が取り付けられており、こうした家具の底部に外部からほこりやゴミが入り込むことを防いでいた（特許文献１参照）。また、洗面化粧台やキッチン台等の底部には排水用の配管が配設されており、蹴込み板を設けることで、これらの配管を外部から隠し、全体の意匠性を損なわないようにしている。
【０００３】
【特許文献１】特開２００３−１６４３４０号公報
【発明の開示】
【発明が解決しようとする課題】
【０００４】
ところが、蹴込み板を設けることで意匠性を確保することは可能となるが、他方でその蹴込み板に囲まれる家具底部の通気性が悪化するという問題がある。特に、家具底部に排水用の配管等が配設されている場合、該底部には湿気が残りやすく、家具の底板や床面が腐る、あるいはカビが生じる等、家中において最も清潔であるべきキッチンにこうした汚れが生じる可能性があった。また、湿度の高い地域では、特にこうした配管等が通っていなくても、家具の底部に湿気がたまり、これらの症状が発生してしまう現状もある。また、この通気性が悪化した時の問題を改善するために蹴込み板に通気孔等を設けると、今度はその開口からほこりやゴミ等が家具の底部に入り込むという問題が再発してしまう。
【０００５】
本発明は、上記課題に鑑みてなされたものであり、家具の底部空間の周りに配置されてその底部空間を清潔に保つとともに、その底部空間の通気性を確保し、意匠面においても特徴のある家具底部部材、およびそれを備えた家具を提供することを目的とする。
【課題を解決するための手段および発明の効果】
【０００６】
上記課題を解決するために、本発明の家具底部部材は、家具が置かれる床面と、この床面から一定高さ底上げされた家具との間に、底部空間が形成され、この底部空間に臨む正面や背面や側面に配置される家具底部部材であって、外側から見ることができる前板材と、底部空間側を向く後板材とが対面する形で、その間に内部空間を形成して一体に組み付けられ、後板材の底部空間側には家具との間の固定部材が配置されるとともに、前板材と後板材とには、底部空間との間で空気流通を可能とする通気部がそれぞれ形成されており、前板材と後板材との間の内部空間が、それらの通気部を通過する通気通路を形成していることを特徴とする。
【０００７】
上記構成によれば、家具の底部空間を家具底部部材によって被って配置しても、前板材の通気部と後板材の通気部とが内部空間を介して連通しているため、外部と家具の底部空間との通気性が確保され、底部空間内に湿気がこもり、家具の底板や床面が腐る、あるいはカビが生じるようなことはない。また、非通気部（通気部以外の領域）にて囲まれる内部空間が存在することで、前板材の通気部から家具の底部空間に進入しようとする気流は、内部空間に留まっている空気によってその一部が押し戻されるため、外部からの流れのままに底部空間内に進入することはない。従って、気流に乗って底部空間に侵入するやや大きめのゴミやホコリは、前板材の通気部において進入が妨げられる。また、上記構成によれば、通気部が形成される前板材と、同じく通気部が形成されて固定部材が組み付けられる後板材とをそれぞれ独立した製造工程で予め製造しておくことができるため、後からこれらを合わせるだけで容易に組み立てることができる。また、前板材と後板材とによって形成されることで、全体に厚みのある重厚な意匠性を造ることができるとともに、一枚板で形成する場合に比べて軽く形成することができる。
【０００８】
また、上記通気部は、複数の貫通孔からなる貫通孔群からなり、前板材の貫通孔よりも後板材の貫通孔の方が開口面積が大きいように形成してもよい。前板材は、その通気部の開口を小さくすることで、ホコリやゴミの侵入を抑えることができるとともに、孔を小さくすることで通気部と認識されないような意匠性を付与することが可能となる。また、後板材は、貫通孔をより大きく形成することで、通気性を一層増すことができる。このとき、これらの貫通孔は、前板材と後板材とでその大きさは異なるものの、その形状に関しては統一しておくことで、全体的に統一した意匠性が付与され、その美感が増す。また、後板材の貫通孔が大きく形成されることで、その孔を通して内部空間内に溜まるホコリやゴミの清掃を行うこともできる。
【０００９】
また、その貫通孔群は、該前板材の上部に形成され、後板材の貫通孔群は、該後板材の上板部と下板部とに形成されていてもよい。前板材の貫通孔群が該前板材の上部に形成されることで、外部から床を這うように流れてくる気流に含まれるゴミやホコリが内部に侵入することを防ぐことができる。また、後板材の貫通孔群が該後板材の上板部と下板部との双方に形成されることで、後板材の開口面積をより大きくすることができ、通気性が増す。
【００１０】
本発明の家具底部部材では、後板材は、上板部と下板部とが床面に対して平行な帯状の隙間を挟んで配置され、内部空間内にて形成される連結部によって、上板部と下板部とが一体に組み付けられており、後板材の底部空間側に配置した固定部材は、家具を底上げ支持する支柱に対して係脱可能で、かつその隙間をレールとして摺動可能に設けられており、支柱の配置位置に移動した固定部材は、支柱と係合して後板材及び前板材を固定することができるものであってもよい。
【００１１】
上記構成によれば、その固定部材は、支柱の配置位置に応じてレールに沿ってスライド移動して、その位置を任意に変えることができるため、様々な規格の家具に対応する家具底部部材とすることができる。また、この家具底部部材は取り外すことができるため、取り外して家具の底部空間を清掃することもできる。さらに、上記構成によれば、既存のレール部材を購入して後板材の底部空間側取り付けるのではなく、この家具底部部材を構成する同じ材料によってレール部を形成することができるため、材料を統一し、全体として統一感のある意匠性を付与することができるとともに、外部からのパーツ購入を必要としないため、コスト面の利点もある。また、この構造によれば、化粧面をなす前板材とレール構造の形成される後板材とをそれぞれ独立に製造することができるため、予め前板材と後板材とを平行して製造しておき、後からこれらを組み付けることができるため、製造が容易となる。
【００１２】
また、意匠性に関して言えば、レールが明らかに認識できるような構造物等は、そのレール部の存在が全体の美感を損ねる可能性があり、特にそのレールが、本体とは異なる材料で形成された場合、その可能性は高い。しかしながら、上記構成によれば、レールは後板材の上板部と下板部との間の隙間として形成されるに留まり、看者にこれがレールであると認識されることはない。従って、看者にレールを意識させないような印象を与えるため、レールの存在によって全体の美感が損われることはない。また、隙間を形成するように上板部と下板部とを連結する連結部は、内部空間内に形成されるため、これが外部に露出して美感を損ねることもない。
【００１３】
本発明の家具底部部材の後板材では、上板部及び下板部の互いに近接する側の端部が、内部空間側に折り返されているものでもよい。レールに沿ってスライド移動する係合部は、レールを構成する上板部と下板部の端部と接触して移動するために、その接触によって上板部・下板部の端部または固定部材のいずれかに傷が生じ、それらの寿命を縮める可能性がある。しかしながら、上記構成によれば、その端部が板材の折り返し構造をなして形成されるため、その端部は曲面をなす。従って、係合部がその端部と接触しながら移動しても上記の傷等は生じ難い。また、この折り返しは、内部空間内部に折り返されて外部に露出しないため、意匠性を損ねることもない。また、折り曲げるだけで形成できるため、加工も容易である。
【００１４】
本発明の家具底部部材では、前板材には、その上端側において後板材に向けて折れ曲がって内部空間の上側に位置する上端部と、下端側において後板材に向けて折れ曲がって内部空間の下側に位置する下端部とが形成され、かつその下端部の先端には、上方向に垂直に延びる立上げ部が形成されており、後板材には、上端側において前板材に向けて折れ曲がって内部空間の上側に位置する上端部が形成され、下端側は、床面に向けて延びてその下端部の先端が床面と接触する脚部をなして形成されており、前板材と後板材とは、前板材及び後板材の双方の上端部同士を上下方向に面接触させて固定し、かつ前板材の立上げ部と後板材の下端部とを前後方向に面接触させて固定して組み付けられるものでもよい。
【００１５】
本発明の家具底部部材は、前板材と後板材とをそれぞれ独立して製造することができ、後から両者を組み付けるだけで容易に製造することができる。上記構成によれば、例えば、前板材の上端部下面と後板材の上端部上面とを上下方向で面接触させて双方をビス止めし、その後、前板材の立上り部の後面（家具の底部空間側に位置する面）と後板材の前面（家具の底部空間とは逆側の面）とを前後方向に面接触させて双方をビス止めするだけで、容易に組み付けを行うことができる。面接触部分の存在により、前板材と後板材との双方のビス止め箇所の位置合わせも容易となるため、組み付け作業の効率も高い。また、双方の面接触を同時に行った上で後からビス止めを行うこともできる。この場合、上下方向・前後方向の２つの面接触によって、それらの方向への前板材・後板材のずれを抑えておくことができ、あとは残りの横方向に互いをスライドさせるだけで容易に組みつけ位置を定めることができる。ビス止めの際も、２箇所の面接触部分があることで、前板材と後板材とのずれが生じ難く、安定してビス止めが行える。
【００１６】
また、上記構成によれば、後板材の下端からなる脚部は、前板の正面に対して奥側に形成されるため、床に配置したときには人の目線からは隠れて見えない。従って、家具底部部材全体は、床面から浮き上がったかのような印象を看者に与えるという独特な意匠性を備える。
【００１７】
また、その後板材の脚部は、その脚部の端部を被う保護部材によって被われていてもよく、これにより、脚部の先端が床面と接触した際に、床に傷がつくことがなくなる。特に、本発明の家具底部部材は家具に対して着脱可能とすることができ、この場合、家具から取り外して移動させる際に床面をこすって傷をつける可能性が高いため、上記構成の利点は大きい。
【００１８】
また、本発明の家具底部部材では、前板材と後板材とが組み付けられてなる正面側底部部材が、直線状に形成されるとともに、その正面側底部部材の両端の少なくとも一方から連続するように、その正面側底部部材に対して直角を成して後方に延びる側面側板部材が別途組み付けられており、正面側底部部材がその家具の底部空間の正面側に、側面側板部材が底部空間の側面側に配置されていてもよい。
【００１９】
上記構成によれば、直線状の正面側底部部材に対して、別途形成された側面側板部材が組みつけられるため、正面側底部部材に１つの側面側板部材が組み付けられたタイプ（Ｌ字型）、あるいは２つ組み付けられたタイプ（凹型）の家具底部部材を形成することができる。家具は一般的に直方体形状をなすものがほとんどであり、従ってその底部形状も四角形をなすものがほとんどである。例えば、家具の底部形状が四角形の場合であれば、凹型のもの２つを突き合わせて底部形状を形成することができ、また、家具の一面が壁付け状態となっている場合であれば、Ｌ字型のものを２つを突き合わせて底部形状を形成することができる。従って、上記のような形状の家具底部部材は、四角形をなす底部形状に合わせやすい。
【００２０】
また、正面側底部部材の両端をなす側面部のうち、側面側板部材が組み付けられる側の側面部は、前板材の両端を後方に折り曲げて形成されるとともに、正面側底部部材と側面側板部材との接合部を隠すように後方に延びていてもよい。これにより、正面側底部部材と側面側板部材とのつなぎ目を隠すことができ、意匠性が確保される。また、その側面部と側面側板部材とが面接触するため、安定して配置される。
【００２１】
また、本発明の家具は、上記した家具底部部材が組みつけられていることで、上記の効果を得ることができる。
【発明を実施するための最良の形態】
【００２２】
以下、本発明の家具底部部材（蹴込み部材）の一実施例を図面を用いて説明する。図１は、本発明の家具底部部材の斜視図であり、図１の（ａ）は正面側斜視図、図１の（ｂ）は背面側斜視図である。本実施例における家具底部部材１００は直線状をなして形成されており、家具底部の正面側（又は背面側）に配置される正面側底部部材として形成され、図７及び図１０の断面図に示すように、前板材２０と後板材３０とが組み付けられた一体構造をなす。なお、本実施例における家具底部部材１００は、その正面中央に対して左右対称に形成されるため、以降では右側の構造を中心に説明を行い、左側の構造については説明を略す。
【００２３】
図２は、図１の（ａ）のＡ視図、つまり家具底部部材１００の右側正面拡大図である。正面に表れる前板材２０の上部には、通気部をなす複数の貫通孔２が格子状に配列され、水平方向に延びる帯状の貫通孔群として形成される。この貫通孔の直径は４ｍｍである。この貫通孔２をなす貫通孔群は、パンチングによって連続的に形成することができるため、孔形成は容易である。なお、本発明の家具底部部材においては、この貫通孔２は、直径５ｍｍ以下で形成されることが望ましい。これにより、家具に取り付けた際の家具底部空間の清掃性を保ち易くなる。貫通孔２は、正面上部に形成されることが望ましく、これにより、床面を這うように流れてくる外気を直接家具底部空間に取り込むことがなくなる。また、貫通孔２の配列は格子状に限らず、千鳥状やその他の配列であってもよい。
【００２４】
図３は、図１のＢ視図、つまり家具底部部材１００の右側背面拡大図である。背面に表れる後板材３０は、上板部３１と下板部３２とが前板材２０と後板材３０とに挟まれる内部空間７（図７参照）側に設けられる複数の連結部３３（図７参照）によって連結されている。この後ろ板材３０には、通気部をなす複数の貫通孔３による貫通孔列が上板部３１と下板部３２の双方にそれぞれ形成される。この貫通孔３の直径は３０ｍｍであり、少なくとも前板材２０の貫通孔２よりも開口面積が大きく形成されている。また、上下の貫通孔群の間の中央部には、後板材３０の上板部３１と下板部３２との近接する端部の間に設けられた隙間４が形成される。この隙間４はレールとして機能し、係合具（固定部材）５がその隙間（以下、レール４ともいう）に対して着脱可能に取り付けられる。この係合具５は、レール４の左右両端もしくはそのいずれか一方に形成される係合具挿入口４ａから、係合具５の背面側当て部５ｂ（図１２参照）を挿入して、その背面側当て部５ｂと正面側当て部５ｃとで上板部３１の下端と下板部３２の上端とを挟み込み、レール４側に滑らせることで取り付ける。この係合具５は、このレール４に対してスライド可能である。後板材３０の下端部は、本実施例においては樹脂材料からなる保護部材によって被われ、脚部６が形成される。なお、保護部材としては、少なくとも床面に傷をつけにくくするものであれば、特に限定は無く、例えば保護部材の底部を曲面なすようにして後板材３０の下端部を被う、あるいは弾性部材で被うものであってもよい。また、貫通孔３は、少なくとも正面の貫通孔より大きく形成されていれば、良好な通気性を確保できる。
【００２５】
図４は、図１の（ａ）のＣ視図、つまり家具底部部材１００の右側平面拡大図、図５は、図１の（ａ）のＤ視図、つまり家具底部部材１００の右側底面拡大図、図６は、図１の家具底部部材１００の右側面拡大図である。前板材２０は、正面部２１の上端から奥側（背面側）に延びる上面部（上端部）２２と、正面部２１の下端から奥側に延びる下面部（下端部）２３と、正面部２１の右側端（左側も同様）から奥側に延びるの側面部２４とを備える。図７は、図１の（ａ）のＥ−Ｅ断面拡大図であり、家具底部部材１００の内部構造を示している。家具底部部材１００は、貫通孔２が形成される正面部２１、上面部２２、下面部２３、側面部２４（図示なし）、及び立上り部２５を備える前板材２０と、貫通孔３が形成される上板部３１・下板部３２、及び後述する連結部３３を備える後板材３０とが組み付けられて形成され、これにより、前板材２０と後板材３０との間には内部空間７が形成されている。
【００２６】
なお、前板材２０は、図８に示すように、一枚の板材に対して、上記の正面部２１、上面部２２、下面部２３、側面部２４、及び立上り部２５以外の領域を切除し、上面部２２、下面部２３、側面部２４をそれぞれ折り曲げることで容易に形成することができる。また、その折り曲げによって形成される角部は滑らかな曲面をなす面取り部となるため、使用者の安全性が増す。
【００２７】
また、後板材３０は、図９に示すように、上板部３１と下板部３２とをレール方向に複数設けられる連結部３３によって一体に連結して構成される。上板部３１は、その上端において正面側に折り曲げられた上端部３１ａと、その下端において内部空間側に折り返されたレール側端部３１ｂと、連結部３３の上端部３３ａと面接触する中間部３１ｃとを備え、下板部３２は、その下端において床面に向けて垂直に延びる下端部３２ａと、その上端において内部空間側に折り返されたレール側端部３２ｂと、連結部３３の下端部３３ｂと面接触する中間部３２ｃとを備える。連結部３３は、上記の上端部３３ａ及び下端部３３ｂとを備え、レール側端部３１ｂ、３２ｂを被うようにして内部空間７内に形成される。連結部３３の上端部３３ａと上板部３１の中間部３１ｃ、及び連結部３３の下端部３３ｂと下板部３２の中間部３２ｃとが、締結部材５０（ビス等）によって固定されている。つまり、連結部３３によって上板部３１と下板部３２とが連結した構造をなしている。また、後板材３０の下端には脚部６が取り付けられる。この脚部６は、後板材３の下端を弾性部材である樹脂部材（保護部材）からなり、下端部３２ａを被って形成される。
【００２８】
図１０には、前板材２０と後板材３０との組み付け前の状態が示されている。前板材２０と後板材３０とを組み付けるときには、この状態から、まず、前板材２０の上面部２２の下面と後板材３０の上板部３１ａの上面とを上下方向に面接触させ、締結部材であるビス５０を上面部２２及び上板部３１ａに設けられたビス孔５２，５３に挿入して固定する。次いで、前板材２０の立上り部２５の後面（家具の底部空間側となる面）と後板材３０の下端部３２ａの前面（家具の底部空間側とは逆の面）とを前後方向に面接触させ、締結部材であるビス５０を立上り部２５及び下端部３２ａに設けられたビス孔５２，５３に挿入して固定する。面接触部が形成されることで、ビス孔５２，５３の位置合わせは容易であり、組み立てを簡易に行うことができる。また、その他の組み付け方法として、上記の２方向２箇所の面接触を同時に行い、それら２箇所の接触部分におけるビス孔５２，５３の位置を合わせて、それらのビス孔５２，５３にビス５０を挿入して固定する方法もある。この場合、上下方向と前後方向の２方向の面接触により、上下方向・前後方向への前板材・後板材の位置ずれが生じないため、面接触した状態で左右方向にスライドさせることで、前板材と後板材のビス孔５２，５３の位置を容易に合わせることができる。
【００２９】
上記のような構成をなす本実施例の家具底部部材１００は、例えば、タンスやキッチン台等の家具の底部に組み付けることができる。図１１は、独立設置式（アイランド型）のキッチン台（家具）５００に対して、上記の家具底部部材１００を組み付け状態を示している。このキッチン台５００は、支柱５０１によって底上げされ、その底上げされた底部には底部空間５０２が形成されている。本実施例の場合、家具底部部材１００は、係合具５をキッチン台５００の支柱５０１に対して係合させることで、キッチン台５００の正面底部及び背面底部に固定され、さらに、キッチン台５００の左右側面側底部には、家具用底部部材１００とは別に形成された側面側板部材１０１が固定されている。
【００３０】
図１２は、その係合具５と、その係合具５による家具の支柱への組み付け状態を示す図である。本実施例の場合、図１２の（ａ）に示すように、係合具５は、レールを挟む背面側当て部５ｂ及び正面側当て部５ｃと、支柱５０１と係合する係合部５ａとを備えて構成される。この係合具５は、図３に示す係合具挿入口４ａから背面側当て部５ｂを挿入してレール４側にスライドさせることによって、背面側当て部５ｂ及び正面側当て部５ｃがレール４を挟み込んで、家具底部部材１００に取り付けられる。この係合具５は、図１２の（ｃ）に示すように、レール４に対してスライド可能であるため、支柱５０１が家具５００のどのような位置にあっても、支柱５０１に対応する位置に移動させることができる。位置合わせ後は、家具底部部材１００を家具底部空間５０２の奥側へ押し込むことで、図１２の（ｂ）及び（ｃ）に示すように、係合具５の係合部５ａが支柱５０１を挟み込み、キッチン台５００に固定される。
【００３１】
なお、家具底部部材１００は、家具５００の下面と家具底部部材１００の上面との間にわずかな隙間が生じるように形成されており、これにより家具底部部材１００の支柱５０１への取り付け・取り外しが容易となっている。また、この家具底部部材１００は、床面に対して脚部６のみが接触する形でキッチン台５００に固定される。このとき、前板材２０の下面部２３は床面に対して接触しないため、床面への接触面積を減らすことができる。さらにこの脚部６は、後板材３０の下端に形成されて家具底部部材１００の底部の奥側に位置するため、人の目線からは見えない位置に配置される。従って、人がその目線から見たときに、家具底部部材１００全体が浮き上がっているかのような印象を与えることができる。
【００３２】
図１３は、このような係合具５を用いたときの家具底部部材１００のキッチン台への取り付け方法を示している。この場合、まず、側面側板部材１０１のレール１０４に取り付けられた係合具５を支柱５０１に係合させることで、４つの側面側板部材１０１をキッチン台５００の底部空間の左右側面側に取り付ける（図１３の（ａ））。その上で、２つの家具底部部材（正面側底部部材）１００を正面側及び背面側からキッチン台５００の底部空間側に押し込むことで、レール４に取り付けられた係合具５を支柱５０１に係合させる（図１３の（ｂ））。これにより、図１１の（ｂ）のように、キッチン台５００の底部空間５０２を被うことができる。
【００３３】
なお、キッチン台５００の側面側を被う側面側板部材１０１は、キッチン台の側面側底部を被うだけの板材として構成されてもよいが、例えば、図１４に示すように、正面（背面）側に配置される家具底部部材１００の両端に対して連結可能に形成することができる。例えば、図１４に示すように家具底部部材（正面側底部部材）１００は、その背面側の両端部に開口を設けてその開口に連結具８を配置し、他方、側面側板部材１０１の側端面に開口を設けてその開口に連結具９を配置し、これらの連結具８，９を互いに連結させることで、側面側板部材１０１と家具底部部材１００とを連結させることができる。図１４の場合は、側面側板部材１０１は家具底部部材１００の両端に組み付けられ、家具底部部材１００の後方側（家具の底部空間側）に延びるように配置されている。なお、本実施例においては、連結具９に設けられた凸部９ａを連結具８に設けられた凹部８ａに挿入する形で家具底部部材１００と側面側板部材１０１とが連結されている。この側面側板部材１０１は、本実施例においては図１５にその内部構造を示すように、家具底部部材１００と同様に、正面部１２１、上面部１２２、下面部１２３、側面部１２４（図１４参照）、及び立上り部１２５を備える前板材１２０と、後板材１３０は、上板部１３１、下板部１３２、及び連結部１３３を備え、レール１０４（図１４参照）が形成される後板材１３０が組み付けられて構成される。レール１０４には家具底部部材１００と同様にして係合具５を取り付け、家具の支柱に固定することができる。この側面側板部材１０１は、家具底部部材１００には形成されていた通気部をなす貫通孔が形成されていない点において家具底部部材１００との構造上の際があり、その他は同様にして構成されている。なお、側面側板部材１０１には通気部が形成されていてもよいが、少なくとも家具底部部材１００に通気部が形成されていることで、キッチン台５００の底部空間への通気性は確保される。また、レール１０４の形成位置は、家具底部部材１００のレール４と高さを異にしていてもよく、例えば、レール１４をレール４よりも高い位置に形成されていれば、家具に家具底部部材１００と側面側板部材１０１とを取り付けたときに、双方のレール４，１０４に取り付けられる係合具５同士の接触を防ぐことができる。
【００３４】
この場合、側面側板部材１０１は、家具底部部材１００と連結する側の端部において、その化粧面となる外側の面が、家具底部部材１００の側面部２４（図４及び５参照）と当接する形で被われる。この被い部となる側面部２４は、側面側板部材１０１と家具底部部材１００との接触部分や連結具８と連結具９との連結部分を外部に対して隠すことができるため、これらが露出することによる意匠性の低下を防ぐことができる。
【００３５】
このように、上記のような側面側板部材１０１を用いることで、様々な形態の家具の底部空間を被うことが可能となる。例えば、図１６に示すような二面が壁面７００と接触して配置される家具５００に対しても、正面側に家具底部部材１００を、側面側に側面側板部材１０１を上記実施例と同様の方法で配置することで、家具５００の底部を被い、その底部空間を外部から隠すことができる。図１７に示すような一面が壁面７００と接触して配置される家具５００に対しても、正面及び背面側に家具底部部材１００を、壁面と対向する側面側に側面側板部材１０１を同様にして配置することで、家具５００の底部を被い、その底部空間を外部から隠すことができる。図１８に示すような両側面側が壁面と接触して配置される家具５００に対しても、正面及び背面側に家具底部部材１００を同様にして配置することで、家具５００の底部を被い、その底部空間を外部から隠すことができる。なお、この場合は連結具８，９を必要としない。
【００３６】
また、本発明の家具底部部材は、上記の実施例に限られるものではなく、例えば図１９に示すようなパーツとして形成され、複数のあるいは複数種のパーツを組み合わせることで家具の底部空間を被うように構成されていてもよい。図１９の（ａ）に示す家具底部部材１１０は、上記家具底部部材１００と同様に構成された直線状の正面側被い部１１０ａと、その両端から直角を成して後方に延びる側面側被い部１１０ｂとが一体に形成され、全体が凹型の形状をなしている。また、図１９の（ｂ）に示す家具底部部材１２０は、上記家具底部部材１００と同様に構成された直線状の正面側被い部１２０ａと、その一端から直角を成して後方に延びる側面側被い部１２０ｂとが一体に形成され、全体がＬ型の形状をなしている。これらの家具底部部材１１０、１２０は、例えば上記家具底部部材１００と側面側板部材１０１とを、上記のような連結具８，９ではなく、溶接によって着脱不可に固定することで形成される。このとき、家具底部部材１００と側面側板部材１０１との接触部分には、つなぎ目や溶接処理部分が外部に露出しないように表面処理が行われることが望ましい。
【００３７】
このような角部を有する家具底部部材１１０，１２０の家具への取り付け例を説明する。例えば、図１９の（ａ）のような凹型の家具底部部材１１０は、図２０に示すような形でキッチン台５００の支柱５０１に取り付け、キッチン台５００の底部周縁を被うことができる。この場合、図２１に示すように、まず、正面側被い部１２０ａのレール４に係合具５を取り付け、正面側と背面側とから家具底部部材１１０をそれぞれ押し込み、その係合具５をキッチン台５００の支柱５０１に係合させる。このとき、正面側と背面側の家具底部部材１１０の側面側被い部１２０ｂは、双方の側端部が突き合わされた形で配置されて、キッチン台５００の底部空間を被う状態となる。なお、この場合、側面側被い部１２０ｂにはレールは形成されていなくてもよい。また、側面側被い部１２０ｂの突き合わされる側端部には、その付き合わされた接触部分を被う被い部材が設けられ、つなぎ目が隠されていることが意匠上望ましい。
【００３８】
このように、パーツとして形成される家具底部部材は、予め定められた複数の規格の家具に応じて、必要な形状のものを準備し、それらを連結させることでそれらの家具の底部を被うように形成することができるため、家具の大きさに合わせて家具底部部材を形成する必要は無く、組み合わせによって様々な形態の家具の底部を被うことが可能となる。例えば、図２２に示すように、２面が壁面（斜線部）７００と接しているキッチン台（家具）５００の場合には、家具底部部材１２０と、その家具底部部材１２０の側面側被い部１２０ｂのみからなる直線状の家具底部部材１２０ｃとを、それぞれパーツとして組み合わせることで蹴込み部を形成できる。なお、側面側被い部１１０ｂ、１２０ｂ、１２０ｃは、特に上記構造をなすものに限られるものではなく、少なくとも支柱５０１による家具５００の底部空間の側面に配置される板部であればよい。なお、本発明におけるパーツとしての家具底部部材は、上記のような直線型や凹型やＬ字型のように家具底部部材１００，１１０，１２０に限られるものではなく、家具に応じた形状であればよい。
【００３９】
なお、係合具５は、正面側底部部材１００と側面側板部材１０１とが組み付けられた状態であっても、露出する係合具挿入口４ａ，１０４ａから挿入することができ、レール４，１０４に取り付けることができる。
【００４０】
また、係合具は、上記実施例のような形態に限るものではない。図２３は、上記実施例とは異なる係合具の形態であり、上記のようにスライド移動ができない固定式の係合具の実施例である。この係合具５´は、図２３の（ａ）に示すように、先端に係合部５ａを有する第一係合部材５ｂ´とそれに固定された第二係合部材５ｃ´とからなり、図２３の（ｃ）に示すように、正面側被い部１１０ａ，１２０ａ又は側面側被い部１１０ｂ，１２０ｂ，１２０ｃに対して接触させて固定される。この場合、例えば、定められた規格のもとに製造される家具であれば、支柱５０１の形成位置が定められているため、その支柱５０１に対応する位置にこのような係合具５´を配置すればよい。この係合具５´を用いることができれば、家具底部部材１１０，１２０には、レールを形成する必要がなく、全体的をシンプルな形状にすることができる。具体的に言えば、図２４に示すように、家具底部部材は、レール４を設けないため後板材３０を一枚の板材の切断・折り曲げによって形成することができる。つまり、図７に示す家具底部部材（正面側底部部材）１００のように、上板部３１と下板部３２とを連結部３３によって連結させる複雑な形状を取る必要がなくなるため、コストを抑えることができる。なお、この固定式係合具は、上記実施例の家具底部部材１００や側面側板部１０１に取り付けてもよく、この場合もレールの形成が不要となる。
【００４１】
なお、上記実施例においては、家具底部部材の正面側と側面側とが同じ高さに形成されているが、本発明においては、正面側と側面側で高さが異なるものであってもよい。例えば、取り付けるべき家具の底部構造に応じて、正面に配置される家具底部部材１００と側面側に配置される側面側板部材１０１とで高さのことなるものを組み付ける、あるいは家具底部部材１１０，１２０の正面側被い部１１０ａ，１２０ａと側面側被い部１１０ｂ、１２０ｂとを高さが異なるように一体に形成してもよい。具体的には、図２５のようなスライド扉８０１を備えるスライド式収納庫等に本発明の家具底部部材を配置するような場合において、正面側底部において下側に突出するスライド扉のレール構造と家具底部部材１００（正面側）との接触を避けるために、家具底部部材１００を側面側板部材１０１よりも低く形成することができる。
【００４２】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００４３】
【図１】本発明の家具底部部材の第一実施例を示す斜視図。
【図２】図１の家具底部部材の右側正面拡大図。
【図３】図１の家具底部部材の右側背面拡大図。
【図４】図１の家具底部部材の右側平面拡大図。
【図５】図１の家具底部部材の右側底面拡大図。
【図６】図１の家具底部部材の右側面拡大図。
【図７】図１の家具底部部材のＥ−Ｅ断面拡大図。
【図８】図１の前板材の展開図。
【図９】図１の後板材の展開図。
【図１０】図７の家具底部部材の組み立てを説明する図。
【図１１】本発明の家具底部部材の取付状態を示す斜視図。
【図１２】係合具による家具底部部材の取り付けを説明する図。
【図１３】図１１の家具底部部材の取付状態を説明する図。
【図１４】正面側底部部材と側面側板部材との連結を説明する図。
【図１５】側面側板部材の断面拡大図。
【図１６】図１１とは異なる第二の取付状態を説明する図。
【図１７】図１１とは異なる第三の取付状態を説明する図。
【図１８】図１１とは異なる第四の取付状態を説明する図。
【図１９】図１とは異なる形態をなす本発明の家具底部部材の斜視図。
【図２０】凹型の家具底部部材の家具への取付状態を説明する斜視図。
【図２１】図２０の家具底部部材の取付状態を説明する図。
【図２２】図１９とは異なる第二の取付形態を示す図。
【図２３】図１２とは異なる係合具による家具底部部材の取り付けを説明する図。
【図２４】図２３の係合具を使用する場合の家具底部部材の内部形状を説明する図。
【図２５】収納庫に本発明の家具底部部材を配置した状態を示す図。
【符号の説明】
【００４４】
１００  家具底部部材（正面側底部部材）
１０１  家具底部部材（側面側板部材）
２  貫通孔（通気部）
３  貫通孔（通気部）
４  隙間（レール）
５  係合具（係合部）
６  脚部
７  内部空間
８  凹部
９  凸部
２０、１２０  前板材
２１、１２１  正面部
２２、１２２  上面部（上端部）
２３、１２３  下面部（下端部）
２４、１２４  側面部
２５、１２５  立上り部
３０、１３０後板材
３１、１３１  上板部
３２、１３２  下板部
３３、１３３  連結部
５０  締結部材
１１０，１２０  家具底部部材
５００、８００  家具
５０１  支柱
５０２  家具底部空間
【図１】
2006280618.tif 000003
【図２】
2006280618.tif 000004
【図３】
2006280618.tif 000005
【図４】
2006280618.tif 000006
【図５】
2006280618.tif 000007
【図６】
2006280618.tif 000008
【図７】
2006280618.tif 000009
【図８】
2006280618.tif 000010
【図９】
2006280618.tif 000011
【図１０】
2006280618.tif 000012
【図１１】
2006280618.tif 000013
【図１２】
2006280618.tif 000014
【図１３】
2006280618.tif 000015
【図１４】
2006280618.tif 000016
【図１５】
2006280618.tif 000017
【図１６】
2006280618.tif 000018
【図１７】
2006280618.tif 000019
【図１８】
2006280618.tif 000020
【図１９】
2006280618.tif 000021
【図２０】
2006280618.tif 000022
【図２１】
2006280618.tif 000023
【図２２】
2006280618.tif 000024
【図２３】
2006280618.tif 000025
【図２４】
2006280618.tif 000026
【図２５】
2006280618.tif 000027